【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
（ａ）モノオーディオデータまたはステレオオーディオデータを符号化するステップと、
（ｂ）前記モノオーディオデータ及び前記ステレオオーディオデータ以外のマルチチャンネルオーディオ拡張データを符号化するステップと、
を含むことを特徴とするマルチチャンネルオーディオ信号符号化方法。
【請求項２】
前記モノオーディオデータ及び前記ステレオオーディオデータは、
階層的なビット率を有することを特徴とする請求項１に記載のマルチチャンネルオーディオ信号符号化方法。
【請求項３】
前記マルチチャンネルオーディオ拡張データは、
少なくともオーディオチャンネルの構成を表し、チャンネル構成インデックスで表現される拡張チャンネルのタイプ情報を含むことを特徴とする請求項１または請求項２に記載のマルチチャンネルオーディオ信号符号化方法。
【請求項４】
前記（ｂ）ステップは、
前記マルチチャンネルオーディオ拡張データの開始を表す所定の開始コードを符号化するステップと、
前記マルチチャンネル拡張オーディオデータをチャンネル別に符号化するステップと、
を含むことを特徴とする請求項１または請求項２に記載のマルチチャンネルオーディオ信号符号化方法。
【請求項５】
前記開始コードは、
３２ビットの連続した０値からなるｚｅｒｏ＿ｃｏｄｅと、
８ビットの連続した１値からなるｓｙｎｃｗｏｒｄと、
から構成されることを特徴とする請求項４に記載のマルチチャンネルオーディオ信号符号化方法。
【請求項６】
前記マルチチャンネル拡張オーディオデータをチャンネル別に符号化するステップは、
オーディオチャンネルの構成を表す拡張チャンネルのタイプを符号化するステップと、
マルチチャンネル拡張オーディオデータを符号化するステップと、
を含むことを特徴とする請求項４に記載のマルチチャンネルオーディオ信号符号化方法。
【請求項７】
前記拡張チャンネルのタイプは、
チャンネル構成インデックスからなることを特徴とする請求項６に記載のマルチチャンネルオーディオ信号符号化方法。
【請求項８】
拡張データ長を符号化するステップと、
付加情報を符号化するステップと、
を更に含むことを特徴とする請求項６に記載のマルチチャンネルオーディオ信号符号化方法。
【請求項９】
前記拡張チャンネルオーディオデータを符号化するステップは、
ビット率の最も低い基本階層を符号化するステップと、
階層が複数である場合、前記基本階層のビット率より高く、かつ階層が高くなるほどビット率が高まる上位階層を符号化するステップと、
を含むことを特徴とする請求項６に記載のマルチチャンネルオーディオ信号符号化方法。
【請求項１０】
モノオーディオデータまたはステレオオーディオデータを符号化するモノ／ステレオ符号化部と、
前記モノオーディオデータ及び前記ステレオオーディオデータ以外のマルチチャンネルオーディオ拡張データを符号化する拡張データ符号化部と、
を備えることを特徴とするマルチチャンネルオーディオ信号符号化装置。
【請求項１１】
前記モノ／ステレオ符号化部は、
階層的なビット率を有するモノオーディオデータまたはステレオオーディオデータを符号化することを特徴とする請求項１０に記載のマルチチャンネルオーディオ信号符号化装置。
【請求項１２】
前記マルチチャンネルオーディオ拡張データは、
少なくともオーディオチャンネルの構成を表し、チャンネル構成インデックスで表現される拡張チャンネルのタイプ情報を含むことを特徴とする請求項１０または請求項１１に記載のマルチチャンネルオーディオ信号符号化装置。
【請求項１３】
前記拡張データ符号化部は、
前記マルチチャンネルオーディオ拡張データの開始を表す所定の開始コードを符号化する開始コード符号化部と、
拡張オーディオデータをチャンネル別に符号化するチャンネル符号化部と、
を備えることを特徴とする請求項１０または請求項１１に記載のマルチチャンネルオーディオ信号符号化装置。
【請求項１４】
前記開始コードは、
３２ビットの連続した０値からなるｚｅｒｏ＿ｃｏｄｅと、
８ビットの連続した１値からなるｓｙｎｃｗｏｒｄと、
から構成されることを特徴とする請求項１３に記載のマルチチャンネルオーディオ信号符号化装置。
【請求項１５】
前記チャンネル符号化部は、
オーディオチャンネルの構成を表す拡張チャンネルのタイプを符号化する拡張チャンネルタイプ符号化部と、
拡張チャンネルオーディオデータを符号化する拡張オーディオ符号化部と、
を備えることを特徴とする請求項１３に記載のマルチチャンネルオーディオ信号符号化装置。
【請求項１６】
前記拡張チャンネルのタイプは、
チャンネル構成インデックスからなることを特徴とする請求項１５に記載のマルチチャンネルオーディオ信号符号化装置。
【請求項１７】
前記チャンネル符号化部は、
拡張データ長を符号化する拡張データ長符号化部と、
付加情報を符号化する付加情報符号化部と、
を更に備えることを特徴とする請求項１５に記載のマルチチャンネルオーディオ信号符号化装置。
【請求項１８】
前記拡張オーディオ符号化部は、
ビット率の最も低い基本階層を符号化する基本階層符号化部と、
階層が複数である場合、前記基本階層のビット率より高く、かつ階層が高くなるほどビット率が高まる上位階層を符号化する上位階層符号化部と、
を備えることを特徴とする請求項１５に記載のマルチチャンネルオーディオ信号符号化装置。
【請求項１９】
（ａ）モノオーディオデータまたはステレオオーディオデータを復号化するステップと、
（ｂ）前記モノオーディオデータ及び前記ステレオオーディオデータ以外に復号化するマルチチャンネルオーディオ拡張データがあるかを検査するステップと、
（ｃ）復号化するマルチチャンネルオーディオ拡張データがある場合には、このマルチチャンネルオーディオ拡張データを復号化するステップと、
を含むことを特徴とするマルチチャンネルオーディオ信号復号化方法。
【請求項２０】
前記モノオーディオデータ及び前記ステレオオーディオデータは、
階層的なビット率を有することを特徴とする請求項１９に記載のマルチチャンネルオーディオ信号復号化方法。
【請求項２１】
前記マルチチャンネルオーディオ拡張データは、
少なくともオーディオチャンネルの構成を表し、チャンネル構成インデックスで表現される拡張チャンネルのタイプ情報を含むことを特徴とする請求項１９または請求項２０に記載のマルチチャンネルオーディオ信号復号化方法。
【請求項２２】
前記（ｂ）ステップは、
マルチチャンネルオーディオ拡張データの開始を表す所定の開始コードの存在を検査して、この開始コードが存在する場合には、前記マルチチャンネルオーディオ拡張データが存在すると判断することを特徴とする請求項１９または請求項２０に記載のマルチチャンネルオーディオ信号復号化方法。
【請求項２３】
前記開始コードは、
３２ビットの連続した０値からなるｚｅｒｏ＿ｃｏｄｅと、
８ビットの連続した１値からなるｓｙｎｃｗｏｒｄと、
から構成されることを特徴とする請求項２２に記載のマルチチャンネルオーディオ信号復号化方法。
【請求項２４】
前記（ｃ）ステップは、
復号化するマルチチャンネルオーディオ拡張データがある場合には、チャンネル別に前記マルチチャンネルオーディオ拡張データを復号化することを特徴とする請求項１９または請求項２０に記載のマルチチャンネルオーディオ信号復号化方法。
【請求項２５】
前記チャンネル別のマルチチャンネルオーディオ拡張データの復号化は、
オーディオチャンネルの構成を表す拡張チャンネルのタイプを復号化するステップと、
マルチチャンネルオーディオ拡張データを復号化するステップと、
を含むことを特徴とする請求項２４に記載のマルチチャンネルオーディオ信号復号化方法。
【請求項２６】
前記拡張チャンネルのタイプは、
チャンネル構成インデックスからなることを特徴とする請求項２５に記載のマルチチャンネルオーディオ信号復号化方法。
【請求項２７】
前記（ｃ）ステップは、
拡張データ長を復号化するステップと、
付加情報を復号化するステップと、
を含むことを特徴とする請求項２４に記載のマルチチャンネルオーディオ信号復号化方法。
【請求項２８】
前記拡張チャンネルオーディオデータを復号化するステップは、
ビット率の最も低い基本階層を復号化するステップと、
階層が複数である場合、前記基本階層のビット率より高く、かつ階層が高くなるほどビット率が高まる上位階層を復号化するステップと、
を含むことを特徴とする請求項２５に記載のマルチチャンネルオーディオ信号復号化方法。
【請求項２９】
モノオーディオデータまたはステレオオーディオデータを復号化するモノ／ステレオ復号化部と、
前記モノオーディオデータ及び前記ステレオオーディオデータ以外に復号化するマルチチャンネルオーディオ拡張データがあるかを検査する拡張データ検査部と、
復号化するマルチチャンネルオーディオ拡張データがある場合には、このマルチチャンネルオーディオ拡張データを復号化する拡張データ復号化部と、
を備えることを特徴とするマルチチャンネルオーディオ信号復号化装置。
【請求項３０】
前記モノオーディオデー及び前記ステレオオーディオデータは、
階層的なビット率を有することを特徴とする請求項２９に記載のマルチチャンネルオーディオ信号復号化装置。
【請求項３１】
前記拡張データ検査部は、
前記マルチチャンネルオーディオ拡張データの開始を表す所定の開始コードの存在を検査して、前記開始コードが存在する場合には、このマルチチャンネルオーディオ拡張データが存在すると判断することを特徴とする請求項２９または請求項３０に記載のマルチチャンネルオーディオ信号復号化装置。
【請求項３２】
前記開始コードは、
３２ビットの連続した０値からなるｚｅｒｏ＿ｃｏｄｅと、
８ビットの連続した１値からなるｓｙｎｃｗｏｒｄと、
から構成されることを特徴とする請求項３１に記載のマルチチャンネルオーディオ信号復号化装置。
【請求項３３】
前記拡張データ復号化部は、
復号化するマルチチャンネルオーディオ拡張データがある場合には、チャンネル別に前記マルチチャンネルオーディオ拡張データを復号化することを特徴とする請求項２９または請求項３０に記載のマルチチャンネルオーディオ信号復号化装置。
【請求項３４】
前記拡張データ復号化部は、
オーディオチャンネルの構成を表す拡張チャンネルのタイプを復号化する拡張チャンネルタイプ復号化部と、
マルチチャンネルオーディオ拡張データを復号化する拡張チャンネルオーディオ復号化部と、
を備えることを特徴とする請求項３３に記載のマルチチャンネルオーディオ信号復号化装置。
【請求項３５】
前記拡張チャンネルのタイプは、
チャンネル構成インデックスからなることを特徴とする請求項３４に記載のマルチチャンネルオーディオ信号復号化装置。
【請求項３６】
前記拡張データ復号化部は、
拡張データ長を復号化する拡張データ長復号化部と、
付加情報を復号化する付加情報復号化部と、
を更に備えることを特徴とする請求項３４に記載のマルチチャンネルオーディオ信号復号化装置。
【請求項３７】
前記拡張チャンネルオーディオ復号化部は、
ビット率の最も低い基本階層を復号化する基本階層復号化部と、
階層が複数である場合、前記基本階層のビット率より高く、かつ階層が高くなるほどビット率が高まる上位階層を復号化する上位階層復号化部と、
を備えることを特徴とする請求項３４に記載のマルチチャンネルオーディオ信号復号化装置。
【請求項３８】
（ａ）モノオーディオデータまたはステレオオーディオデータの基本階層を符号化するステップと、
（ｂ）前記モノオーディオデータまたは前記ステレオオーディオデータの上位階層を符号化するステップと、
（ｃ）前記モノオーディオデータ及び前記ステレオオーディオデータ以外のマルチチャンネルオーディオ拡張データの開始を表すｚｅｒｏ＿ｃｏｄｅ及びｓｙｎｃｗｏｒｄを符号化するステップと、
（ｄ）前記拡張マルチチャンネルオーディオデータを構成する少なくとも一つのチャンネルデータに対し、基本階層を符号化し、かつ上位階層を符号化するステップと、
を含むことを特徴とするマルチチャンネルオーディオ信号符号化方法。
【請求項３９】
前記（ｄ）ステップは、
前記チャンネルデータの長さを符号化するステップと、
前記チャンネルのタイプを表すチャンネル構成インデックスを符号化するステップと、
ｂｓａｃヘッダ、ジェネラルヘッダを符号化するステップと、
前記基本階層のオーディオデータを符号化するステップと、
を含むことを特徴とする請求項３８に記載のマルチチャンネルオーディオ信号符号化方法。
【請求項４０】
（ａ）モノオーディオデータまたはステレオオーディオデータの基本階層を復号化するステップと、
（ｂ）前記モノオーディオデータまたは前記ステレオオーディオデータの上位階層を復号化するステップと、
（ｃ）前記モノオーディオデータ及び前記ステレオオーディオデータ以外に、復号化するマルチチャンネルオーディオ拡張データがあるか否かを検査するステップと、
（ｄ）復号化するマルチチャンネルオーディオ拡張データがある場合には、このマルチチャンネルオーディオ拡張データの開始を表すｚｅｒｏ＿ｃｏｄｅ及びｓｙｎｃｗｏｒｄを復号化するステップと、
（ｅ）前記マルチチャンネルオーディオ拡張オーディオデータを構成する少なくとも一つのチャンネルデータに対し、基本階層を復号化し、かつ上位階層を復号化するステップと、
を含むことを特徴とするマルチチャンネルオーディオ信号復号化方法。
【請求項４１】
前記（ｄ）ステップは、
前記チャンネルデータの長さを復号化するステップと、
前記チャンネルのタイプを表すチャンネル構成インデックスを復号化するステップと、
ｂｓａｃヘッダ、ジェネラルヘッダを復号化するステップと、
前記基本階層のオーディオデータを復号化するステップと、
を含むことを特徴とする請求項４０に記載のマルチチャンネルオーディオ信号復号化方法。
【請求項４２】
請求項１ないし請求項９、請求項１９ないし請求項２８、請求項３８ないし請求項４１のうち、何れか一項に記載された方法をコンピュータに実行させるためのプログラムを記録したコンピュータで読み取り可能な記録媒体。
【請求項４３】
オーディオデータを符号化する段階と、
前記オーディオデータが符号化されたペイロードの終結を示す識別コードを生成する段階と、
拡張データのペイロードの開始を示す識別コードを生成する段階と、
前記オーディオデータのチャンネルをマルチチャンネルに拡張する拡張データのタイプを生成する段階と、
前記オーディオデータのチャンネルをマルチチャンネルに拡張する拡張データを符号化する段階と、を含むことを特徴とするマルチャンネルオーディオ信号符号化方法。
【請求項４４】
オーディオデータを復号化する段階と、
前記オーディオデータのペイロードの終結を示す識別コードを検出する段階と、
拡張データのペイロードの開始を示す識別コードを検出する段階と、
拡張データのタイプを検出する段階と、
前記検出されたタイプが、オーディオデータのチャンネルをマルチチャンネルに拡張する拡張データを示しているか否かを判断する段階と、
前記判断段階で示していると判断されれば、前記オーディオデータのチャンネルをマルチチャンネルに拡張する拡張データを復号化する段階と、を含むことを特徴とするマルチャンネルオーディオ信号復号化方法。
【請求項４５】
オーディオデータを復号化する段階と、
まだ復号化されていないデータの有無を判断する段階と、
もし、まだ復号化されていないデータがあると判断されれば、前記オーディオデータのペイロードの終結を示す識別コードを検出する段階と、
拡張データのペイロードの開始を示す識別コードを検出する段階と、
拡張データのタイプを検出する段階と、
前記検出されたタイプがオーディオデータのチャンネルをマルチチャンネルに拡張する拡張データを示しているか否かを判断する段階と、
前記判断段階で示していると判断されれば、前記オーディオデータのチャンネルをマルチチャンネルに拡張する拡張データを復号化する段階と、を含むことを特徴とするマルチャンネルオーディオ信号復号化方法。
【請求項４６】
階層的に符号化されたオーディオデータを復号化する段階と、
‘zero_code’を検出する段階と、
‘sync_word’を検出する段階と、
‘extension_type’を検出する段階と、
前記検出された‘extension_type’がオーディオデータのチャンネルをマルチチャンネルに拡張する拡張データを示しているか否かを判断する段階と、
前記判断する段階で示していると判断されれば、前記オーディオデータのチャンネルをマルチチャンネルに拡張する拡張データを復号化する段階と、を含むことを特徴とするマルチャンネルオーディオ信号復号化方法。
【請求項４７】
階層的に符号化されたオーディオデータを復号化する段階と、
まだ復号化されていないデータの有無を判断する段階と、
もし、まだ復号化されていないデータがあると判断されれば、‘zero_code’を検出する段階と、
‘sync_word’を検出する段階と、
‘extension_type’を検出する段階と、
前記検出された‘extension_type’がオーディオデータのチャンネルをマルチチャンネルに拡張する拡張データを示しているか否かを判断する段階と、
前記判断段階で示していると判断されれば、前記オーディオデータのチャンネルをマルチチャンネルに拡張する拡張データを復号化する段階と、を含むことを特徴とするマルチャンネルオーディオ信号復号化方法。